(57)【要約】【課題】情報を記憶させた装置をどこかに置き忘れたり紛失したりした場合であっても、当該情報が第三者に漏洩することを極力防止し得る無線通信システムを提供する。【解決手段】情報を記憶するメイン通信装置と、記憶装置を備え、該メイン通信装置との無線通信により前記情報を受信して該記憶装置に記憶させるサブ通信装置と、を有する通信システムであって、該無線通信は、前記サブ通信装置が、前記メイン通信装置周辺の所定範囲内に位置する場合にのみ実行可能であり、前記サブ通信装置は、前記記憶装置に記憶された情報を所定のタイミングで消去する無線通信システムとする。【選択図】図４
2008219534.tif 000002
【特許請求の範囲】
【請求項１】
情報を記憶するメイン通信装置と、
記憶装置を備え、該メイン通信装置との無線通信により前記情報を受信して該記憶装置に記憶させるサブ通信装置と、を有する通信システムであって、
該無線通信は、
前記サブ通信装置が、前記メイン通信装置周辺の所定範囲内に位置する場合にのみ実行可能であり、
前記記憶装置に記憶された情報は、
前記受信時に応じた所定のタイミングで消去されることを特徴とする通信システム。
【請求項２】
前記サブ通信装置は、
前記受信時から所定時間が経過したか否かを判断する判断手段を備え、
前記タイミングは、
該判断手段により、前記所定時間が経過したと判断された時であることを特徴とする請求項１に記載の通信システム。
【請求項３】
前記所定時間は、
前記情報の種類に応じて定められることを特徴とする請求項２に記載の通信システム。
【請求項４】
前記記憶装置における空き容量に応じて、前記所定時間が定められることを特徴とする請求項２に記載の通信システム。
【請求項５】
前記所定時間は、ユーザによる所定の操作を通じて変更可能であることを特徴とする請求項２に記載の通信システム。
【請求項６】
前記メイン通信装置は、
前記サブ通信装置から前記情報の送信要求があった場合に、該情報を該サブ通信装置に送信することを特徴とする請求項１から請求項５の何れかに記載の通信システム。
【請求項７】
前記サブ通信装置は、
前記送信要求の際に、自己のＩＤ情報をも前記メイン通信装置に送信するものであり、
前記メイン通信装置は、
前記情報の送信に先立ち、前記ＩＤ情報に基づいて、該情報の送信の許否を判断することを特徴とする請求項６に記載の通信システム。
【請求項８】
前記情報は、個人情報であることを特徴とする請求項１から請求項７の何れかに記載の通信システム。
【請求項９】
前記所定範囲の大きさを調整する調整手段を備えたことを特徴とする請求項１から請求項８の何れかに記載の通信システム。
【請求項１０】
前記無線通信の方式は、
無線ＬＡＮによるもの、ブルートゥースの規格によるもの、および赤外線通信によるもの、のうちの何れかであることを特徴とする請求項１から請求項９の何れかに記載の通信システム。
【請求項１１】
前記サブ通信装置は、
携帯電話機、ＰＤＡ、およびモバイルＰＣ、のうちの何れかであることを特徴とする請求項１から請求項１０の何れかに記載の通信システム。
【請求項１２】
前記メイン通信装置は、
人体に装着可能であることを特徴とする請求項１から請求項１１に記載の通信システム。
【請求項１３】
前記メイン通信装置は、
人体への装着品に取り付けられていることを特徴とする請求項１から請求項１１に記載の通信システム。
【請求項１４】
他機との無線通信を行う通信装置であって、
該他機から該無線通信によって受信した情報を記憶する記憶手段と、
該受信時から所定時間が経過したか否かを判断する判断手段と、
該所定時間が経過したと判断されたときに、前記記憶された情報を消去する消去手段と、を備えたことを特徴とする通信装置。
【発明の詳細な説明】
【技術分野】
【０００１】
本発明は、複数の通信装置の相互間で無線通信を行う無線通信システムに関するものである。
【背景技術】
【０００２】
近年、携帯電話機、モバイルＰＣ、ＰＤＡ［Personal Digital Assistants］等の携帯情報端末が高機能化し、また、小型化によって手軽に持ち出すことが可能となっている。また携帯情報端末が備えるメモリ装置の大容量化により、様々な情報を記憶させて持ち出すことも可能となっている。
【０００３】
また携帯情報端末では、無線通信機能を搭載しているものが多く、他機との間で情報の交換が可能となっている。なお無線通信の規格としては、無線ＬＡＮのIEEE802.11や、ブルートゥース（商標）などが存在する。このように携帯情報端末は、利便性が大きく向上しており、現代の情報社会において非常に重要なものとなっている。
【特許文献１】特開平５−３３６１０４号公報
【特許文献２】特開２００４−３１０３８７号公報
【特許文献３】特開２００６−１８０１７１号公報
【発明の開示】
【発明が解決しようとする課題】
【０００４】
上述したように情報端末の利便性が向上した反面、情報端末からの情報の漏洩などが問題となっている。例えば個人情報を記憶させた情報端末をどこかへ置き忘れたり紛失したりした場合、かかる情報が第三者に漏洩し不利益を被ることが考えられる。こういった問題に備えて、例えば情報の閲覧にパスワードの入力を求める方法が採用されているが、パスワードが解読される可能性もあり、万全とは言い難い。つまり情報端末に情報が残っている限り、この情報が漏洩する可能性は否定できない。
【０００５】
また複数の情報端末を、状況に応じて別々に使用する場合、情報の一元化を図るのが難しい場合がある。例えば情報端末によってスケジュールデータを管理している場合、ある情報端末でデータを更新しても他の情報端末では更新されないままであると、スケジュールの適切な管理が難しくなる。
【０００６】
そこで本発明は上記の問題点に鑑み、情報を記憶させた装置をどこかに置き忘れたり紛失したりした場合であっても、当該情報が第三者に漏洩することを極力防止し得る無線通信システムの提供を目的とする。また、情報の一元化を容易に行うことが可能な無線通信システムの提供をも目的とする。
【課題を解決するための手段】
【０００７】
上記目的を達成するため、本発明に係る無線通信システムは、情報を記憶するメイン通信装置と、記憶装置を備え、該メイン通信装置との無線通信により前記情報を受信して該記憶装置に記憶させるサブ通信装置と、を有する通信システムであって、該無線通信は、前記サブ通信装置が、前記メイン通信装置周辺の所定範囲内に位置する場合にのみ実行可能であり、前記記憶装置に記憶された情報は、前記受信時に応じた所定のタイミングで消去する構成（第１の構成）としている。
【０００８】
本構成によれば、メイン通信装置に記憶されている情報を、無線通信によってサブ通信装置に伝送させ、記憶させることができる。そしてサブ通信装置では、記憶された情報は受信時に応じた所定のタイミングで消去されるから、当該情報がサブ通信装置を拾得した第三者に漏洩することを極力防止することが容易となる。
【０００９】
また無線通信はサブ通信装置が所定範囲内に位置する場合にのみ実行可能である。そのためサブ通信装置側からメイン通信装置に情報送信の要求ができる場合であっても、メイン通信装置を所持しているユーザから離れた位置で、このような要求を阻止することができる。そのため、サブ通信装置を拾得した第三者によって、情報が盗み出される事態を極力防止することができる。
【００１０】
またサブ通信装置は、情報を、メイン通信装置から受信することにより取得する。そのため、例えば複数のサブ通信装置を併用する場合であっても、メイン通信装置側で情報を一括管理しておくことで、情報の一元化を容易に実現することが可能となる。
【００１１】
また上記第１の構成において、前記サブ通信装置は、前記受信時から所定時間が経過したか否かを判断する判断手段を備え、前記タイミングは、該判断手段により、前記所定時間が経過したと判断された時である構成（第２の構成）としてもよい。
【００１２】
本構成によれば、サブ通信装置における古い情報（受信されてから、より長い時間が経過した情報）が消去され易くなる。そのためかかる情報を、合理的なタイミングで消去させることが可能となる。例えば所定時間を１時間とした場合、情報受信後の１時間以内にユーザが情報を確認等することは妨げられず、更に、サブ通信装置を紛失等しても、受信から１時間が経過していれば、情報の漏洩は回避される。
【００１３】
また上記第２の構成において、前記所定時間は、前記情報の種類に応じて定められる構成（第３の構成）としてもよい。本構成によれば、例えば情報の種類毎に、サブ通信装置に保持しておきたい時間が異なる場合であっても、かかる要求に応えることができる。
【００１４】
また上記第２の構成において、前記記憶装置における空き容量に応じて、前記所定時間が定められる構成（第４の構成）としてもよい。本構成によれば、例えば空き容量が少なくなるにつれて所定時間を短くすることにより、記憶装置の容量不足のため新たな情報の追加記憶ができなくなるといった事態を、極力回避することが可能となる。
【００１５】
また上記第２の構成において、前記所定時間は、ユーザによる所定の操作を通じて変更可能である構成（第５の構成）としてもよい。本構成によれば、情報を消去するタイミングを、よりユーザの意図に沿ったものとすることが可能となる。
【００１６】
また上記第１から第５の何れかの構成において、前記メイン通信装置は、前記サブ通信装置から前記情報の送信要求があった場合に、該情報を該サブ通信装置に送信する構成（第６の構成）としてもよい。
【００１７】
本構成によれば、メイン通信装置に情報を送信させるタイミングを、サブ通信装置から送信要求があったときとすることができる。そのため、例えばサブ通信装置を手にしているユーザが情報を取得しようとする時に、このサブ通信装置に送信要求をさせて情報を入手することが容易に実現可能となる。
【００１８】
また上記第６の構成において、前記サブ通信装置は、前記送信要求の際に、自己のＩＤ情報をも前記メイン通信装置に送信するものであり、前記メイン通信装置は、前記情報の送信に先立ち、前記ＩＤ情報に基づいて、該情報の送信の許否を判断する構成（第７の構成）としてもよい。
【００１９】
本構成によれば、メイン通信装置による情報の送信に先立って、ＩＤ情報に基づいた送信の拒否判断を行う。そのため、例えば情報の送信を許可したくないサブ通信装置への情報送信を回避することが可能となり、ひいては情報の漏洩を極力防止すること可能となる。
【００２０】
また上記第１から第７の何れかの構成において、前記情報は個人情報である構成（第８の構成）としてもよい。本構成によれば、比較的秘匿性の高い個人情報について、情報漏洩の危険性を極力回避しつつ、当該情報の管理・閲覧などを行うことが可能となる。なおここでの個人情報とは、個人の名前、住所、および電話番号などの個人の特定に繋がる情報のことであり、個人のスケジュールを表す情報をも含むものとする。
【００２１】
また上記第１から第８の何れかの構成において、前記所定範囲の大きさを調整する調整手段を備えた構成（第９の構成）としてもよい。この所定範囲が大きいほど、メイン通信装置から比較的離れたところでも、メイン通信装置とサブ通信装置との間の無線通信が可能となり、利便性が向上する。一方、この所定範囲が小さいほど、例えば第三者がサブ通信装置を用いてメイン通信装置に無断でアクセスすることを防止し易くなる。本構成によれば、かかる所定範囲を調整することができるため、そのときの状況に適切に対応させることができる。
【００２２】
なお上記第１から第９の構成において、前記無線通信の方式は、無線ＬＡＮによるもの、ブルートゥースの規格によるもの、および赤外線通信によるもの、のうちの何れかである構成（第１０の構成）としてもよく、また、上記第１から第１０の構成において、前記サブ通信装置は、携帯電話機、ＰＤＡ、およびモバイルＰＣ、のうちの何れかである構成（第１１の構成）としてもよい。
【００２３】
また上記第１から第１１の構成において、前記メイン通信装置は、人体に装着可能である構成（第１２の構成）としてもよく、人体への装着品に取り付けられている構成（第１３の構成）としてもよい。本構成によれば、ユーザがメイン通信装置をどこかに置き忘れたり、紛失したりすることを極力防止することが可能となる。
【００２４】
また、他機との無線通信を行う通信装置であって、該他機から該無線通信によって受信した情報を記憶する記憶手段と、該受信時から所定時間が経過したか否かを判断する判断手段と、該所定時間が経過したと判断されたときに、前記記憶された情報を消去する消去手段と、を備えた構成（第１４の構成）の通信装置であれば、上述した構成におけるサブ通信装置として用いることが容易となる。
【発明の効果】
【００２５】
上述した通り本発明に係る無線通信システムによれば、メイン通信装置に記憶されている情報を、無線通信によってサブ通信装置に伝送させ、記憶させることができる。そしてサブ通信装置では、記憶された情報は受信時に応じた所定のタイミングで消去されるから、当該情報がサブ通信装置を拾得した第三者に漏洩することを極力防止することが容易となる。
【００２６】
また無線通信はサブ通信装置が所定範囲内に位置する場合にのみ実行可能である。そのためサブ通信装置側からメイン通信装置に情報送信の要求ができる場合であっても、メイン通信装置を所持しているユーザから離れた位置で、このような要求を阻止することができる。そのため、サブ通信装置を拾得した第三者によって、情報が盗み出される事態を極力防止することができる。
【００２７】
またサブ通信装置は、情報を、メイン通信装置から受信することにより取得する。そのため、例えば複数のサブ通信装置を併用する場合であっても、メイン通信装置側で情報を一括管理しておくことで、情報の一元化を容易に実現することが可能となる。
【発明を実施するための最良の形態】
【００２８】
本発明の一実施形態として、メイン通信装置および複数のサブ通信装置を有する通信システムを挙げて、以下に説明する。
【００２９】
本通信システムの全体的な構成の内容を、図１に示す。本図に示すように当該通信システム１００は、１個のメイン通信装置２００と、このメイン通信装置２００と無線通信を行うことが可能な複数のサブ通信装置（３００Ａ〜３００Ｃ、以下これらを纏めたものを３００とする）からなっている。またメイン通信装置２００にはユーザの個人情報（例えばユーザの名前、住所、電話番号、スケジュールなど）を記録することができるようになっており、後述する所定の処理を通じて、これらの個人情報をサブ通信装置３００に無線送信することが可能となっている。
【００３０】
またメイン通信装置２００とサブ通信装置３００との通信は無線通信（例えば、無線ＬＡＮ、ブルートゥース、赤外線通信の各規格によるもの）であるため、双方間の距離が所定以上となる場合は、電磁波の減衰や通信規格による制限などにより通信不可となる。例えば図１のように、メイン通信装置２００が破線１０１で示したような通信範囲（無線通信が可能な範囲）をもつ場合、この範囲内に位置するサブ通信装置（３００Ａ、３００Ｂ）については、メイン通信装置２００との無線通信を行うことができるが、サブ通信装置３００Ｃについては範囲外に位置しているため、メイン通信装置２００との無線通信を行うことができないことになる。
【００３１】
次にメイン通信装置２００の構成について、図２を参照しながら説明する。本図のようにメイン通信装置２００は、無線データ送受信部２０１、情報処理部２０２、入力部２０３、および記録部２０４などを備えている。
【００３２】
無線データ送受信部２０１は、アンテナ等を備えており、サブ通信装置３００との、無線通信による情報の送受信を可能としている。
【００３３】
情報処理部２０２は、無線通信により伝送される情報や、入力部２０３を通じて入力された情報に所定の処理を施す。また情報処理部２０２の内容を機能的に分類すると、図２に示すように、認証処理部２２１、データ判別・同期確認部２２２、データ更新処理部２２３、およびデータ読出部２２４の各々を有していることになる。
【００３４】
認証処理部２２１は、無線データ送受信部２０１により受信されたデータが、通信の認められているサブ通信装置３００から送信されたものか否かを判断する。この判断は、例えば送信されてきたデータに含まれている送信元のＩＤ情報を識別し、このＩＤ情報により特定されるサブ通信装置３００が、予め通信の認められているもの（複数であってもよい）として登録されているか否かを判断することでなされる。
【００３５】
データ判別・同期確認部２２２は、受信したデータが、個人情報データの更新を要求するもの（以下、「更新指示情報」とする）であるか、あるいは、個人情報データの送信を要求するもの（以下、「送信指示情報」とする）であるかを判別する。またこれに加えて、後述する個人情報の読出処理と更新処理が同時になされないように、同期をとる役割も果たす。
【００３６】
ここで更新指示情報は、ユーザの入力に応じて生成されるものであり、内容を更新させる個人情報の種類、更新後の内容などを特定し得る情報である。また送信指示情報は、ユーザの入力に応じて生成されるものであり、送信させる個人情報の種類などを特定し得る情報である。
【００３７】
データ更新処理部２２３は、データ判別・同期確認部２２２または入力部２０３から伝送された更新指示情報に基づいて、記憶部２０４に格納されている個人情報の内容を更新する。
【００３８】
データ読出部２２４は、データ判別・同期確認部２２２から伝送された送信指示情報に基づいて、記憶部２０４に格納されている個人情報を読出し、この情報を無線データ送受信部２０１に伝送する。
【００３９】
入力部２０３は、ユーザがメイン通信装置２００に情報を入力するためのインターフェースとして機能している。これによりユーザによる入力操作を通じて、更新指示情報を取得することが可能となっている。
【００４０】
記憶部２０４は、随時入力された個人情報等を記録するためのメモリとして機能する。なお記録されている個人情報は、随時なされる更新処理に応じて、その内容が更新される。
【００４１】
次にサブ通信装置３００の構成について、図３を参照しながら説明する。本図のようにサブ通信装置３００は、無線データ送受信部３０１、情報処理部３０２、入力部３０３、記録部３０４、記憶時間管理部３０５、および表示部３０６などを備えている。
【００４２】
無線データ送受信部３０１は、アンテナ等を備えており、メイン通信装置２００との、無線通信による情報の送受信を可能としている。なお、何らかの理由によりメイン通信装置２００との無線通信が出来なかったときには、無線通信に失敗した旨を表示部３０６等に表示させ、ユーザに報知するようにしてもよい。
【００４３】
情報処理部３０２は、無線通信により伝送される情報や、入力部３０３を通じて入力された情報に所定の処理を施す。また情報処理部３０２の内容を機能的に分類すると、図３に示すように、入力データ判定部３２１、データ更新処理部３２２、送信データ処理部３２３、要求データ処理部３２４、認証処理部３２５、および受信データ処理部３２６の各々を有していることになる。
【００４４】
入力データ判定部３２１は、入力部３０３を通じて入力された情報が、メイン通信装置２００に個人情報を更新させるための情報であれば、該情報をデータ更新処理部３２２に伝送する。またその一方、メイン通信装置２００に個人情報を送信させるための情報であれば、該情報を、要求データ処理部３２４に伝送する。
【００４５】
データ更新処理部３２２は、入力データ判定部３２１から伝送された情報に基づいて、更新指示情報を生成する。また送信データ処理部３２３は、データ更新処理部３２２や要求データ処理部３２４から伝送された各種情報を、無線送信可能な形式に変換し、無線データ送受信部３０１に伝送する。
【００４６】
要求データ処理部３２４は、入力データ判定部３２１から伝送された情報に基づいて、送信指示情報を生成する。またメイン通信装置２００側から送られてくる個人情報が、送信指示情報に対応しているか（指示通りであるか）を監視する役割も果たす。
【００４７】
認証処理部３２５は、無線データ送受信部３０１により受信されたデータが、通信の認められているメイン通信装置２００から送信されたものか否かを判断する。この判断は、例えば送信されてきたデータに含まれている送信元のＩＤ情報を識別し、このＩＤ情報により特定されるメイン通信装置２００が、予め通信の認められているものとして登録されているか否かを判断することでなされる。
【００４８】
受信データ処理部３２６は、受信された情報から個人情報を抽出して記憶部に格納するとともに、かかる個人情報の種類を判別し、その判別結果を記憶時間管理部３０５に通知する。
【００４９】
入力部３０３は、ユーザがサブ通信装置３００に情報を入力するためのインターフェースとして機能している。これによりユーザによる入力操作を通じて、先述した更新指示情報や送信指示情報を取得することが可能となっている。
【００５０】
記憶部３０４は、随時受信される個人情報等を記憶するためのメモリとして機能する。また記憶時間管理部３０５は、タイマー装置などを備えており、記憶部に個人情報が記憶されている時間を管理する。より具体的には、個人情報が受信される毎に、この受信時から一定時間が経過するタイミングを監視する。そしてこの一定時間が経過したら、当該個人情報を記憶部３０４から消去する。
【００５１】
なおこの一定時間は、個人情報の種類（先述の通り、受信データ処理部３２６から通知される）に応じて設定される。例えば、個人の名前や住所などであれば１時間、スケジュールであれば２時間といった具合である。
【００５２】
表示部３０６は、ＬＣＤ等のディスプレイ装置を有しており、記憶部３０４に記憶されている個人情報などを表示させる。
【００５３】
次に、無線通信システム１００において実行される主な処理の流れについて、図４のフローチャートを参照しながら説明する。なお図４における破線は、無線通信により伝送されるデータ（無線データ）の流れを示している。
【００５４】
まずサブ通信装置３００が行う処理について説明する。サブ通信装置３００は常時、無線データを受信したか否か、および入力部３０３を通じてユーザによる入力がなされたか否かを監視している（ステップＳ１１、Ｓ１２）。そして無線データを受信したときは、ステップＳ１７の処理に移り、ユーザによる入力がなされたときは、ステップＳ１３の処理に移る。
【００５５】
ステップＳ１３の処理では、その入力内容が個人情報の更新要求に関するものであるか否かを判断する。その結果、更新要求に関するものであった場合は（ステップＳ１３のＹ）、メイン通信装置２００に更新指示情報を送信する（ステップＳ１４）。その後ステップＳ１１の処理に戻る。
【００５６】
また一方、更新要求に関するものでなかった場合は（ステップＳ１３のＮ）、その入力内容が個人情報の送信要求に関するものであるか否かを判断する（ステップＳ１５）。その結果、送信要求に関するものであった場合は（ステップＳ１５のＹ）、メイン通信装置２００に送信指示情報を送信する（ステップＳ１６）。その後ステップＳ１１の処理に戻る。なお送信要求に関するものでもなかった場合は（ステップＳ１５のＮ）、入力された情報を破棄し、ステップＳ１１の処理に戻る。
【００５７】
ステップＳ１７の処理では、認証処理部３２５において、受信されたデータが、通信の認められているメイン通信装置２００から送信されたものか否か、すなわち正当なデータであるか否かを判断する。その結果、正当なデータでないと判断された場合は、受信されたデータを破棄し（ステップＳ１８）、ステップＳ１１の処理に戻る。
【００５８】
一方、受信されたデータが正当なデータと判断された場合は（ステップＳ１７のＹ）、要求データ処理部３２４において、受信されたデータが送信要求（送信済みの送信指示情報）に対応しているか否かを判断する（ステップＳ１９）。その結果、対応していない場合は、受信されたデータを破棄するとともに、送信指示情報を再度送信する（ステップＳ２０）。
【００５９】
一方、対応している場合は、受信された個人情報はそのまま記憶部３０４に記憶されるとともに、表示部３０６を通じて個人情報の内容が表示される（ステップＳ２１）。その後、ステップＳ１１の処理に戻る。なお記憶部に記憶されている個人情報は、記憶時間管理部３０５によって、一定時間後に消去されることとなる。
【００６０】
次にメイン通信装置２００が行う処理について説明する。メイン通信装置２００は常時、サブ通信装置３００から無線データ（ステップＳ１４、Ｓ１６、Ｓ２０の処理により送信される）を受信したか否かを監視している（ステップＳ３１）。
【００６１】
そして無線データを受信した場合は（ステップＳ３１のＹ）、認証処理部２２１において、受信されたデータが、通信の認められているサブ通信装置３００から送信されたものか否か、すなわち正当なデータであるか否かを判断する。その結果、正当なデータでないと判断された場合は、受信されたデータを破棄し（ステップＳ３３）、ステップＳ３１の処理に戻る。
【００６２】
一方、正当なデータであると判断された場合は、受信されたデータが個人情報の更新を要求するもの（更新指示情報）であるか否かを判断する（ステップＳ３４）。その結果、更新指示情報である場合は、該情報に基づいて記憶部２０４に格納されている個人情報を更新し（ステップＳ３５）、ステップＳ３１の処理に戻る。
【００６３】
またステップＳ３４の処理において更新指示情報でない場合には、次に、受信されたデータが送信指示情報であるか否かを判断する（ステップＳ３６）。その結果、送信指示情報である場合は、該情報に基づいて記憶部に格納されている個人情報を読み出して、サブ通信装置３００に送信し（ステップＳ３７）、ステップＳ３１の処理に戻る。
【００６４】
次に、無線通信システム１００の活用例について、具体的に説明する。
【００６５】
メイン通信装置２００は、ほぼ恒常的にユーザに携帯されて（ユーザ自身から極力離れないように）使用されるものとして想定されている。そのためメイン通信装置は、人体に装着できるような形状（例えばベルトやネックレスのような形状）となっていたり、人体への装着品（例えばベルト、帽子、腕時計など）と一体となっていたり、あるいはこれらに取り付けられたりしていることが好ましい。
【００６６】
ここでまず、ユーザが自分の個人情報を閲覧しようとする状況を想定する。このときユーザは、身近にあるサブ通信装置３００を手に取る。なおサブ通信装置３００は、例えば携帯電話機、ＰＤＡ、モバイルＰＣ等、先述したサブ通信装置３００における各処理を実行できるものであれば、その種類は限定されない。
【００６７】
そして手に取ったサブ通信装置３００の入力部３０３を通じて、閲覧したい個人情報の種類を特定する。そうすると、この入力内容は送信指示情報として、サブ通信装置３００からメイン通信装置２００へと送信される。そしてメイン通信装置２００はこれを受けて、サブ通信装置３００に指示通りの個人情報を送信し、サブ通信装置３００はこの個人情報の内容を表示する。これにより、ユーザの要求は満たされる。
【００６８】
またメイン通信装置２００に記憶されている個人情報を更新したい場合には、同じく入力部３０３を通じて更新した個人情報の種類や更新内容を特定すれば、更新指示情報がメイン通信装置２００に送信されて更新が実行されることにより、ユーザの要求は満たされる。なお個人情報の更新は、メイン通信装置２００側の入力部２０３を通じて行うことも可能である。
【００６９】
ここでメイン通信装置２００とサブ通信装置３００との距離に着目すると、以上の状況では、メイン通信装置２００とサブ通信装置３００は何れもユーザの近傍に位置しているため、かかる距離は比較的短くなる。そのため、双方間の無線通信は実現可能となっており、情報の送信や更新が妨げられることはない。
【００７０】
次に、個人情報がサブ通信装置３００に記憶された後、ユーザがこのサブ通信装置３００をどこかに置き忘れたり紛失したりした場合を想定する。この場合通常であれば、このサブ通信装置を拾得した第三者に、個人情報が漏洩するおそれがある。
【００７１】
しかしサブ通信装置３００では、記憶部３０６に記憶された個人情報は一定時間後に消去されるようになっている。そのため、サブ通信装置３００を拾得した第三者に、個人情報が漏洩する危険性を極力小さくすることが可能となっている。
【００７２】
また仮にサブ通信装置３００を拾得した第三者が、このサブ通信装置３００を用いてメイン通信装置２００に個人情報を送信させようとしても、ユーザが比較的離れた（通信範囲を超えた）場所にいれば、両通信装置間での無線通信は実現されない。そのため、かかる第三者によって、メイン通信装置２００側から個人情報が盗み出される事態は回避される。
【００７３】
以上に説明したように、本無線通信システム１００によれば、個人情報を自在に閲覧可能とするものでありながらも、個人情報を高いレベルで保護することが可能となっている。また随時入力あるいは更新された個人情報は、メイン通信装置２００側で一括管理されている。そのため個人情報の一元化も実現されており、例えば異なるサブ通信装置３００毎に、逐一情報を更新するといった手間を省くことが可能となっている。
【００７４】
また本実施形態では、記憶部３０４に記憶された個人情報を消去するタイミングについては、個人情報の種類毎に予め一定時間が定められており、受信時からこの一定時間が経過したときに消去されるものとした。しかしこれに加え、或いはこれとは別に、何らかの要素を考慮して当該タイミングを定めるようにしてもよい。
【００７５】
一例として、メイン通信装置２００あるいはサブ通信装置３００における入力インターフェースを通じて、ユーザが、消去のタイミングを特定する情報を入力できるようにしても良い。例えば記憶部３０４に記憶された、或いはこれから記憶される個人情報に対して「３０分」と特定すれば、この個人情報がサブ通信装置３００に受信されてから３０分後に、記憶部３０４から消去されるといった具合である。また「長め」や「短め」というように入力された場合に、消去のタイミングを、通常より所定分だけ遅らせたり早めたりできるようにしても良い。このようにしておけば、消去のタイミングをよりユーザの意向に沿ったものとすることができる。
【００７６】
さらに他の一例として、記憶時間管理部３０５などに記憶部３０４の空き容量を監視させておき、この空き容量に応じて、消去のタイミングが定められるようにしても良い。例えば記憶部３０４の空き容量が少なくなるにつれて、消去のタイミングを早めるといった具合である。このようにしておけば、記憶容量の不足のために個人情報の追加記憶ができないという事態を、極力回避することができる。
【００７７】
また上述したように、無線通信自体の通信の限界（通信装置同士の距離が離れすぎたり障害物があったりすると、電磁波の減衰等のため、必然的に通信が不可となる）や通信規格による制限をそのまま通信範囲として利用しても良いが、この通信範囲を意図的に調整できるようにしても良い。例えば、メイン通信装置２００やサブ通信装置３００において、送信波の強さを可変とすることで通信の限界を変動させ、通信範囲を調整することができる。また受信側で受信波の強さを検知するようにしておき、この強さが所定値以下であればデータを受信しないようしておけば、かかる所定値の調整を通じて通信範囲を調整することができる。
【００７８】
以上、本発明の実施形態について説明したが、本発明はこの内容に限定されるものではなく、本発明の主旨を逸脱しない限り、種々の改変を加えることが可能である。例えば記憶部３０４に記憶させる情報として、各種の個人情報を例に挙げたが、それ以外の情報であっても良い。また上述した各技術内容は、矛盾の無い限り、組み合わせることが可能である。
【産業上の利用可能性】
【００７９】
本発明は、無線通信を利用する情報携帯端末などの分野において利用可能である。
【図面の簡単な説明】
【００８０】
【図１】本発明の実施形態に係る無線通信システムの構成図である。
【図２】本発明の実施形態に係るメイン通信装置の構成図である。
【図３】本発明の実施形態に係るサブ通信装置の構成図である。
【図４】本発明の実施形態においてなされる主な処理の流れ図である。
【符号の説明】
【００８１】
１００    無線通信システム
２００    メイン通信装置
２０１    無線データ送受信部
２０２    情報処理部
２０３    入力部
２０４    記憶部
３００    サブ通信装置
３０１    無線データ送受信部
３０２    情報処理部
３０３    入力部
３０４    記憶部
３０５    記憶時間管理部
３０６    表示部
【図１】
2008219534.tif 000003
【図２】
2008219534.tif 000004
【図３】
2008219534.tif 000005
【図４】
2008219534.tif 000006